(57)【要約】      （修正有）【課題】販売促進を向上させる再利用可能な表示紙を提供する。【解決手段】表示紙１の表面を上下に二分区画する切取り横線２を付設し、上半分３には表示紙が封入される用紙を直ちに連想させる図柄表示面４を備えると共に、下半分５には中央の切取り縦線６にて左右に二分されて絵葉書となる写真や絵などの印刷表示面７を備え、表示紙１の背面には表面の切取り横線２及び切取り縦線６と対応する位置に夫々切取り横線及び切取り縦線を付設して形成された領域中の下半分５の左右に二分された領域に宛名記載面を形成した。また、切取り横線２及び切取り縦線６は表示紙１の裏面に達するミシン目にて形成し、また、上下に区画された表面の上半分３には方眼目模様を印刷した。【選択図】図１
0003170197.tif 000002
【実用新案登録請求の範囲】
【請求項１】
表示紙１の表面を上下に二分区画する切取り横線２を付設し、上半分３には表示紙１が封入される用紙を直ちに連想させる図柄表示面４を備えると共に、下半分５には中央の切取り縦線６にて左右に二分されて絵葉書となる写真や絵などの印刷表示面７を備え、表示紙１の裏面には表面の切取り横線２及び切取り縦線６と対応する位置に夫々切取り横線２ａ及び切取り縦線６ａを付設して形成された領域中の下半分の左右に二分された領域にそれぞれ宛名記載面８を形成したことを特徴とする表示紙。
【請求項２】
前記表示紙１は、切取り横線２及び切取り縦線６を表示紙１の裏面に達するミシン目にて形成した請求項１に記載の表示紙。
【請求項３】
前記表示紙１は、上下に二分区画された表面の上半分３には方眼目模様を印刷した図柄表示面４とした請求項１又は２に記載の表示紙。
【考案の詳細な説明】
【技術分野】
【０００１】  本考案は、所要の用紙をセットとしてフィルム製の袋に収容して販売される用紙の上面に販売促進を意図して封入される表示紙に関する。
【背景技術】
【０００２】  一般に、プリンター用印刷用紙や写真用用紙は数十枚単位でフィルム製の袋内に収容されて販売に供されているが、袋内の用紙の上面に用紙の概要の説明及び販売促進を意図した１枚の表示紙が封入される。この表示紙は商標、用紙の種類、或いは性質等の表示と共に、購買者の目に付き易いようカラフルな写真や絵をデザインして印刷したものが用いられる。又、用紙のうち、特に方眼紙にあっては通常１００枚単位で１セットとしてフィルム製袋に収容され、方眼紙の用紙上面に商標や方眼紙の特徴、枚数など必要な事項が印刷された表示紙が封入されている。【０００３】  そして、これらの用紙の使用に当たっては、袋を開封すると共に表示紙の下面にセットとして収容されている用紙を必要枚数ごと引出して使用される。用紙を使い切ってしまうと封入されていた表示紙はそのまま廃棄されてしまうのが常である。
【考案の概要】
【考案が解決しようとする課題】
【０００４】  しかしながら、表示紙には販売促進を意図した写真や絵などが良好にデザインされて印刷されており、ゴミとして廃棄されることは製造者や販売者にはしのび難いものがある。又、資源の無駄にも通じるため、表示紙自体の利用価値を生み出したい要望がある。【０００５】  本考案は、このような課題を考慮してなされたものであり、所要の用紙を使いきった後でも、封入されていた表示紙を無駄に処分することがなく、購入者に有効利用してもらうことのできる表示紙を提供することを目的とする。
【課題を解決するための手段】
【０００６】  上記目的を達成するため、本考案は表示紙の表面を上下に二分区画する切取り横線を付設し、上半分には表示紙が封入される用紙を直ちに連想させる図柄表示面を備えると共に、下半分には中央の切取り縦線にて左右に二分されて絵葉書となる写真や絵などの印刷表示面を備え、表示紙の裏面には表面の切取り横線及び切取り縦線と対応する位置に夫々切取り横線及び切取り縦線を付設して形成された領域中の下半分の左右に二分された領域にそれぞれ宛名記載面を形成して表示紙を構成する。【０００７】  また、本考案の表示紙は切取り横線及び切取り縦線を表示紙の裏面に達するミシン目にて形成して構成される。【０００８】  また、本考案の表示紙は上下に二分区画された表面の上半分には方眼目模様を印刷した図柄表示面としたものである。
【考案の効果】
【０００９】  本考案によれば、表示紙自体が上下に二分され、上半分の図柄表示面により収納されている用紙の種別が容易であることに加え、表面下半分には絵葉書として利用可能な写真や絵などの印刷表示面が存在し、購買者に斬新な印象を与えることで販売促進効果が期待できる。更には、絵葉書部分は切取り線により分離可能に形成されており、絵葉書部分に著名な風景等の写真や絵を印刷することにより表示紙の再利用を促進させることができる。
【図面の簡単な説明】
【００１０】
【図１】本考案の実施例を示す表示紙の表面図である。
【図２】本考案の表示紙の裏面図である。
【図３】表示紙と用紙を分離した斜視図である。
【考案を実施するための形態】
【００１１】  以下、本考案を図示する実施形態により具体的に説明する。図は本考案の一実施形態の構成を示しており、表示紙１は所要枚数重ねられた用紙１０の上面に載置され、表示紙１と用紙１０を包み込むプラスチックフィルム製の袋（図示略）内に収容され、商品として販売に供される。
【００１２】  表示紙１は、封入される用紙ともども定番でもあるＡ４版サイズのアート紙や上質紙よりなり、図１に示すように表面１ａを上下に二分する切取り横線２を付設し、上半分３には表示紙が封入される用紙の内容を直ちに連想させる図柄表示面４を備えている。また、下半分５には中央の切取り縦線６にて左右に二分される絵葉書となる印刷表示面７を備えている。該印刷表示面７は観光名所などの写真や絵Ｐが印刷され、絵葉書として利用されるように構成している。また、該印刷表示面７は全面に写真や絵Ｐを印刷する場合の他、一部に通信文記載欄Ｑを設けることができる。表示紙１はＡ４版サイズのため、下半分５は切取り縦線６にて左右に二分されると葉書大の大きさを確保することができる。
【００１３】  前記、表示紙１の上半分３の図柄表示面４には、表示紙１が封入される用紙の種類や内容を直ちに連想させる図柄Ａが印刷される。例えば、用紙が方眼紙の場合には図１に示すような方眼目模様が印刷される。また、用紙がレポート用紙の場合には罫線として表示し、原稿用紙にあっては升目が表示されるなど用紙の種類や内容により適宜な図柄を選択することができる。
【００１４】  また、表示紙１の裏面１ｂには前記の表示紙１の表面１ａに付設した切取り横線２及び切取り縦線６と対応する位置に夫々切取り横線２ａ、切取り縦線６ａが付設されている。該切取り縦線６ａにて左右に二分された領域に２つの宛名記載面８を形成している。この宛名記載面８には当然のこと、切手貼付け部８ａ、郵便番号記載部８ｂ、通信文記載欄８ｃが設けられている。
【００１５】  表示紙１の表面１ａ及び裏面１ｂに付設される切取り横線２、２ａ及び切取り縦線６及び６ａは印刷表示であってもよく、その場合ははさみ等で切離して絵葉書として使用できる。また、これらの切取り横線２及び切取り縦線６は表面１ａから裏面１ｂに達するミシン目とすることで絵葉書の切離が容易となる。
【００１６】  本考案はこのように構成され、用紙１０は任意の枚数単位でセットされ、用紙上面に表示紙１が載置され、全体をフィルム製の袋に収容され、販売に供される。購買者にあっては用紙を購入する場合、上面の表示紙１の上半分３の図柄表示に着目して用紙の種別を選択するが、同時に絵葉書状に構成された表示紙１の下半分５に関心が向き購買欲を増進させることになる。
【００１７】  購買者は、用紙の使用とは別に表示紙の構成に関心を寄せ、特に絵葉書状に構成された下半分部分の写真や絵などを切取り線により分離して絵葉書として利用することで、通常は廃棄され易い表示紙の再利用が図れる。絵葉書とする写真や絵は地域特有の風景、風物であれば観光地での販売促進が図り得て、地域の活性化にも貢献することができる。
【符号の説明】
【００１８】１    表示紙
１ａ  表面
１ｂ  裏面
２、２ａ  切取り横線
３    上半分
４    図柄表示面
５    下半分
６、６ａ  切取り縦線
７    印刷表示面
８    宛名記載面
１０  用紙
【図１】
0003170197.tif 000003
【図２】
0003170197.tif 000004
【図３】
0003170197.tif 000005